(57)【特許請求の範囲】
【請求項１】
タッチ操作コンポーネントであって、
第一タッチセンサと、第二タッチセンサと、判断モジュールとを含み、
前記第一タッチセンサ及び前記第二タッチセンサは、タッチによってタッチ信号を生成し、
前記判断モジュールは、前記第一タッチセンサ及び前記第二タッチセンサに接続され、前記第一タッチセンサにより生成されるタッチ信号を検出すると、前記第二タッチセンサがタッチ信号を生成するかどうかを判断し、前記第二タッチセンサがタッチ信号を生成する場合、第一操作を動作するように構成され、
前記判断モジュールは、前記第二タッチセンサがタッチ信号を生成することを検出した場合、前記第一タッチセンサがタッチ信号を生成するかどうかを判断し、前記第一タッチセンサがタッチ信号を生成する場合、第二操作を動作するようにさらに構成され、
前記判断モジュールは、前記第一タッチセンサが経路スライドのタッチ信号を生成することを検出した場合、第五操作を動作し、前記第二タッチセンサがタッチ信号を生成するかどうかを判断し、前記第二タッチセンサがタッチ信号を生成する場合、第六操作を動作するようにさらに構成され、
前記判断モジュールは、前記第二タッチセンサが経路スライドのタッチ信号を生成することを検出した場合、前記第五操作を動作し、前記第一タッチセンサがタッチ信号を生成するかどうかを判断し、前記第一タッチセンサがタッチ信号を生成する場合、前記第六操作を動作するようにさらに構成される、
ことを特徴とするタッチ操作コンポーネント。
【請求項２】
前記第一操作及び前記第二操作は、同一制御機能に対応する異なる操作である、
ことを特徴とする請求項１に記載のタッチ操作コンポーネント。
【請求項３】
複数の前記第二タッチセンサを含み、前記第二タッチセンサのそれぞれは異なる操作機能に対応する、
ことを特徴とする請求項１または請求項２に記載のタッチ操作コンポーネント。
【請求項４】
前記判断モジュールは、前記第一タッチセンサまたは前記第二タッチセンサのタッチ信号が、後に生成する信号で、かつ連続信号であることを検出する場合、対応する前記第二操作または前記第一操作を継続して実行するようにさらに構成される、
ことを特徴とする請求項１に記載のタッチ操作コンポーネント。
【請求項５】
前記判断モジュールは、順次検出した前記第一タッチセンサ及び前記第二タッチセンサのそれぞれが生成したタッチ信号が所定の有効時間の内にあるかどうかを判断し、前記生成したタッチ信号が所定の有効時間内にある場合、前記第一操作を動作し、順次検出した前記第二タッチセンサ及び前記第一タッチセンサのそれぞれが生成したタッチ信号が所定の有効時間内にあるかどうかを判断し、前記生成したタッチ信号が所定の有効時間内にある場合、前記第二操作を動作するようにさらに構成される、ことを特徴とする請求項１に記載のタッチ操作コンポーネント。
【請求項６】
制御ボタンをさらに含み、前記制御ボタンが押されると、第三操作を動作する、
ことを特徴とする請求項１に記載のタッチ操作コンポーネント。
【請求項７】
前記第一タッチセンサまたは前記第二タッチセンサは、直接的または間接的に前記制御ボタン上に設けられる、
ことを特徴とする請求項６に記載のタッチ操作コンポーネント。
【請求項８】
前記制御ボタンは、ボタン型のロータリエンコーダであり、前記第三操作を動作するように構成され、
前記制御ボタンは、回転角度を検出して第四操作を動作するようにさらに構成される、ことを特徴とする請求項６に記載のタッチ操作コンポーネント。
【請求項９】
請求項１〜８のいずれかに記載のタッチ操作コンポーネントを含む、
ことを特徴とする電子デバイス。
【請求項１０】
タッチ操作方法であって、
第一タッチセンサ及び第二タッチセンサはタッチによってタッチ信号を生成するステップＡと、
前記第一タッチセンサがタッチ信号を生成することを検出した場合、前記第二タッチセンサがタッチ信号を生成するかどうかを判断し、前記第二タッチセンサがタッチ信号を生成する場合、第一操作を動作するステップＢと、
前記第二タッチセンサがタッチ信号を生成することを検出した場合、前記第一タッチセンサがタッチ信号を生成するかどうかを判断し、前記第一タッチセンサがタッチ信号を生成する場合、第二操作を動作するステップＣと、
前記ステップＢは、前記第一タッチセンサが経路スライドのタッチ信号を生成することを検出した場合、第五操作を動作し、前記第二タッチセンサがタッチ信号を生成するかどうかを判断し、前記第二タッチセンサがタッチ信号を生成する場合、第六操作を動作するステップを含み、
前記ステップＣは、前記第二タッチセンサが経路スライドのタッチ信号を生成することを検出した場合、前記第五操作を動作し、前記第一タッチセンサがタッチ信号を生成するかどうかを判断し、前記第一タッチセンサがタッチ信号を生成する場合、前記第六操作を動作するステップを含む、
ことを特徴とする方法。
【請求項１１】
前記第二タッチセンサは複数であり、前記第二タッチセンサのそれぞれが、異なる制御機能に対応し、前記第一操作及び前記第二操作が同一制御機能に対応する異なる操作である、
ことを特徴とする請求項１０に記載の方法。
【請求項１２】
前記第一タッチセンサまたは前記第二タッチセンサのタッチ信号は、後に生成する信号で、且つ連続信号であることを検出した場合、対応する前記第二操作または前記第一操作を継続して実行する、
ことを特徴とする請求項１０に記載の方法。
【請求項１３】
順次検出した前記第一タッチセンサ及び前記第二タッチセンサのそれぞれが生成したタッチ信号が所定の有効時間内にあるかどうかを判断し、前記生成したタッチ信号が所定の有効時間内にある場合、前記第一操作を動作し、
順次検出した前記第二タッチセンサ及び前記第一タッチセンサのそれぞれが生成したタッチ信号が所定の有効時間内にあるかどうかを判断し、前記生成したタッチ信号が所定の有効時間内にある場合、前記第二操作を動作する、
ことを特徴とする請求項１０に記載の方法。
【請求項１４】
前記第一タッチセンサまたは前記第二タッチセンサは、直接的または間接的に前記制御ボタン上に設けられ、
前記制御ボタンが押されると、第三操作を動作する、
ことを特徴とする請求項１０に記載の方法。
【請求項１５】
前記制御ボタンは、ボタン型のロータリエンコーダであり、前記第三操作を動作するように構成され、
前記制御ボタンは、回転角度を検出して第四操作を動作するようにさらに構成される、
ことを特徴とする請求項１４に記載の方法。
【発明の詳細な説明】
【技術分野】
【０００１】
本出願は操作分野に関し、特にタッチ操作方法、タッチ操作コンポーネント及びこのタッチ操作コンポーネントを有する電子デバイスに関する。
【背景技術】
【０００２】
従来、デバイス制御の便利性を向上させるために、タッチ操作方式の直感性に基づいて、タッチ操作方式は様々な電子デバイスに既に一般的に応用された。タッチスクリーン表示デバイスは豊富なタッチインタフェースを提供することに依存しながら、ユーザは該インタフェースが表示される具体的な機能選択肢及び直感的タッチの対応する表示領域によって、対応する機能の動作を実現することができる。
【０００３】
しかし、例えば、没入型頭部装着型表示装置の、表示領域に直接に操作を行うことができないデバイスにとって、一般的に、物理ボタンを採用して操作機能を提供するが、該方式は以下の問題が存在している。
【０００４】
１、没入型デバイスは制御ボタンを見ることができないので、ユーザにとって、デバイスを使用する前、ボタン配置及び対応する制御機能を学ばなければならず、且つ、物理ボタン機能の単一性のため、ユーザの使いづらさを増加し、ユーザが新しいデバイスに対する受け入れを減らすことをもたらす。
【０００５】
２、製品特性の考慮に基いで、物理ボタンの設けは限られるため、ユーザに制御の機能性を提供することを減らすべきである。
【０００６】
以上のとおり、異なる形態の製品に対して、従来技術は、製品特性とユーザ操作体験とが両立できる制御方式を提供することができない。
【発明の概要】
【０００７】
本発明の目的は、前記の従来技術に存在する問題を解決するために、タッチ操作方法、タッチ操作コンポーネント及び該タッチ操作コンポーネントを有する電子デバイスを提供することにある。
【０００８】
本発明によるタッチ操作コンポーネントは、
タッチによってタッチ信号を生成する第一タッチセンサ及び第二タッチセンサと、判断モジュールと、を含み、
【０００９】
前記判断モジュールは、前記第一タッチセンサ及び前記第二タッチセンサに接続され、第一タッチセンサがタッチ信号を生成することを検出した場合、第二タッチセンサがタッチ信号を生成するかどうかを判断し、第二タッチセンサがタッチ信号を生成する場合、第一操作を動作するように構成される。判断モジュール３０は、第二タッチセンサがタッチ信号を生成することを検出した場合、第一タッチセンサがタッチ信号を生成するかどうかを判断し、第一タッチセンサがタッチ信号を生成する場合、第二操作を動作するようにさらに構成される。
【００１０】
本発明による電子デバイスは、いずれかの前記タッチ操作コンポーネントを含む。
【００１１】
本発明によるタッチ操作方法は、
第一タッチセンサ及び第二タッチセンサはタッチによってタッチ信号を生成するステップと、
【００１２】
第一タッチセンサがタッチ信号を生成することを検出した場合、第二タッチセンサがタッチ信号を生成するかどうかを判断し、第二タッチセンサがタッチ信号を生成する場合、第一操作を動作するステップと、
【００１３】
第二タッチセンサがタッチ信号を生成することを検出した場合、第一タッチセンサがタッチ信号を生成するかどうかを判断し、第一タッチセンサがタッチ信号を生成する場合、第二操作を動作するステップと、を含む。
【００１４】
本発明によるタッチ操作コンポーネント、電子デバイス及びタッチ操作方法は、第一タッチセンサと第二タッチセンサを組み合わせることを介して、検出したタッチ信号の異なる順序によって異なる操作を動作する方式をさらに提供し、有限な物理構造においてより多くの操作を広げ、且つ、定義の操作は操作インタフェースに依存せず、ユーザの操作体験を向上させる。
【図面の簡単な説明】
【００１５】
【図１】図１は、本発明によるタッチ操作コンポーネントのモジュール概略図である。
【図２】図２は、本発明によるタッチ操作コンポーネントの平面概略図である。
【図３】図３は、図２のタッチ操作コンポーネントの断面概略図である。
【図４】図４は、本発明の実施形態によるタッチ操作の概略図である。
【図５】図５は、本発明の実施形態によるタッチ操作方法のフロー図である。
【図６】図６は、本発明の更なる実施形態によるタッチ操作方法のフロー図である。
【発明を実施するための形態】
【００１６】
本発明の目的、技術手段及び利点を一層明瞭にするために、以下に、若干の実施形態及び図面を参照しながら、本発明を一層詳しく説明する。ここで記載される実施形態は、本発明を説明するためのものだけであるが、本発明を制限するものではないと理解される。
【００１７】
以下の好適な実施形態において、同一の部材に対して、統一された識別を採用して具体的に説明する。
【００１８】
図１は、本発明の実施形態によるタッチ操作コンポーネント１のモジュールの概略図であり、該タッチ操作コンポーネントは、第一タッチセンサ１１と、第二タッチセンサ２０と、判断モジュール３０とを含む。判断モジュール３０は、プロセッサ、マイクロコントローラ、シナリオグルチップなどであってもよい。第一タッチセンサ１１及び第二タッチセンサ２０はタッチによってタッチ信号を生成するように構成され、すなわち、タッチを検出するとタッチ信号を生成する。判断モジュール３０は、第一タッチセンサ１１により生成されるタッチ信号を検出した場合、第二タッチセンサ２０がタッチ信号を生成するかどうかを判断し、第二タッチセンサ２０がタッチ信号を生成する場合、第一操作を動作するように構成される。判断モジュール３０は、第二タッチセンサ２０がタッチ信号を生成することを検出した場合、第一タッチセンサ１１がタッチ信号を生成するかどうかを判断し、第一タッチセンサ１１がタッチ信号を生成する場合、第二操作を動作するようにさらに構成される。該実施形態によるタッチ操作コンポーネントは、第一タッチセンサ１１と第二タッチセンサ２０を組み合わせる方式を実現し、異なるタッチの順序によって異なる操作を動作する。
【００１９】
好適な実施形態において、第一操作、第二操作は、同一操作機能に対応する異なる操作としてもよい。例えば、操作機能は、音量調整、ビデオの早送りまたは早戻しの調節、メニューの入りまたは退出の操作などであってもよい。一層明瞭に説明するために、以下、図２による実施形態と組み合わせて具体的に説明する。図面に示すように、第一タッチセンサ１１は円形を呈し、第二タッチセンサ２０は、環状を呈し第一タッチセンサ１１を取り囲んで、かつ第一タッチセンサ１１と間隔で設けられる。ユーザは指を第一タッチセンサ１１から第二タッチセンサ２０にスライドさせる場合、第一タッチセンサ１１は先にタッチ信号を生成し、その後、第二タッチセンサ２０がタッチ信号を生成し、この場合、判断モジュール３０は、順次検出したこの二つのタッチ信号を判断して第一操作を動作する。該第一操作は、現在の焦点にある機能メニューによって次のレベルのメニューに入ることであってもよい。これに対して、ユーザは指を第二タッチセンサ２０から第一タッチセンサ１１にスライドさせる場合、第二タッチセンサ２０は先にタッチ信号を生成し、その後、第一タッチセンサ１１がタッチ信号を生成し、この場合、判断モジュール３０は、順次検出したこの二つの信号を判断して第二操作を動作する。これに対して、該第二操作は、前のレベルのメニューに戻ることであってもよい。言うまでもなく、第一操作は音量増加であってもよく、これに対して、第二操作は音量減少であってもよい。第一操作はビデオの早送りであってもよく、これに対して、第二操作は早戻しであってもよい。
【００２０】
好適な実施形態において、判断モジュール３０は、第一タッチセンサまたは第二タッチセンサのタッチ信号が、後に生成する信号で、かつ連続信号であることを検出し、後に生成する前記連続信号を停止するまで、対応する第一操作または第二操作を継続に実行するように構成される。このように、特定なシナリオにおいて、ユーザの操作を簡略化することができる。例えば、第一操作は増大音量の状況において、ユーザが指を第一タッチセンサ１１から第二タッチセンサ２０にスライドさせ、第二タッチセンサ２０上で、ある期間に継続にタッチを保持する場合、第一タッチセンサ１１は先にタッチ信号を生成し、第二タッチセンサ２０は後にある期間に継続するタッチ信号を生成し、すなわち、連続信号であり、判断モジュール３０は、順次検出したこの二つのタッチ信号を判断して増大音量の第一操作を動作し、且つ、第二タッチセンサ２０がタッチ信号を継続に生成するため、判断モジュール３０はユーザの指が第二タッチセンサ２０から離れるまで、連続信号によって増大音量を継続に実行する。このように、ユーザは音量をより便利に増大または減少することができる。言うまでもなく、具体的な応用シナリオは音量調節を制限するものではなく、ビデオの進捗の調節または他の該機能が応用されることに適したシナリオであってもよい。
【００２１】
さらに、第二タッチセンサは複数の場合、複数の異なる操作を動作し、例えば、第二タッチセンサはＮ個の場合、Ｎ個の第二タッチセンサのそれぞれは第一タッチセンサと組み合わせて２Ｎ個の異なる操作を定義することができる。例えば、図２に示すように、第二タッチセンサ２０に設けられる領域において複数の離れる第二タッチセンサ２０Ａ、２０Ｂ、２０Ｃが設けられる。第二タッチセンサ２０Ａ、２０Ｂ、２０Ｃのそれぞれは第一タッチセンサと組み合わせて、音量調節機能、ビデオの早送りまたは早戻しの調節の機能、メニューの入りまたは退出の機能がそれぞれに定義される。すなわち、ユーザは指を第一タッチセンサ１１から第二タッチセンサ２０Ａにスライドさせる場合、判断モジュール３０は第一タッチセンサ１１が生成したタッチ信号を先に受け、その後、第二タッチセンサ２０Ａが生成したタッチ信号を受け、この場合、判断モジュール３０が音量増大の操作を動作する。逆に、ユーザは指を第二タッチセンサ２０Ａから第一タッチセンサ１１にスライドさせる場合、第二タッチセンサ２０Ａが先にタッチ信号を生成し、第一タッチセンサ１１は後にタッチ信号を生成し、この場合、判断モジュール３０が音量減少の操作を動作する。ユーザは指を第一タッチセンサ１１から第二タッチセンサ２０Ｂにスライドさせる場合、判断モジュール３０は第一タッチセンサ１１が生成したタッチ信号を先に受け、その後、第二タッチセンサ２０Ｂが生成したタッチ信号を受け、この場合、ビデオの早送りの操作を動作する。逆に、ユーザは指を第二タッチセンサ２０Ｂから第一タッチセンサ１１にスライドさせる場合、第二タッチセンサ２０Ｂが先にタッチ信号を生成し、第一タッチセンサ１１は後にタッチ信号を生成し、この場合、判断モジュール３０がビデオの早戻しの機能の操作を動作する。同様に、第一タッチセンサ１１と第二タッチセンサ２０Ｃの実行方式は以上の図２に対する具体的な説明と同様であるため、詳しい説明がここで省略される。
【００２２】
前記の制御機能は、異なる電子デバイスの応用特徴によって第一操作、第二操作の具体的な定義を行われ得ると理解されるべきである。当業者は前記の実施形態の具体的に応用する原理によって前記定義を実現することができる。
【００２３】
第一タッチセンサ１１及び第二タッチセンサ２０は片手で制御できる範囲に置かれることを採用する場合、継続的な１つの動作を介して制御を完成することができ、例えば、前記の実施形態における二つのタッチセンサにわたるスライドである。他の実施形態において、第一タッチセンサ及び第二タッチセンサは互いに遠く離れている領域に置かられる場合、両手を介して制御と組み合わせて操作を動作することができる。この方式を介して、複数の操作を定義することができ、インタフェースメニューに依存する必要がなく、メニュー項目の煩雑な設けを減らすことができ、同時に、明確に操作を定義することができ、ユーザにとって便利で使用できる。
【００２４】
好ましくは、判断モジュール３０は、順次検出した第一タッチセンサ１１及び第二タッチセンサ２０のそれぞれが生成したタッチ信号が所定の有効時間の内にあるかどうかを判断し、前記生成したタッチ信号が所定の有効時間内にある場合、第一操作を動作するようにさらに構成される。判断モジュール３０は、順次検出した第二タッチセンサ２０及び第一タッチセンサ１１のそれぞれが生成したタッチ信号が所定の有効時間内にあるかどうかを判断し、前記生成したタッチ信号が所定の有効時間内にある場合、第二操作を動作するようにさらに構成される。つまり、判断モジュール３０は、第一タッチセンサ１１がタッチ信号を生成することを検出した場合、所定の有効時間内に第二タッチセンサ２０がタッチ信号を生成するかどうかを判断し、所定の有効時間内に前記第二タッチセンサ２０がタッチ信号を生成する場合、第一操作を動作する。判断モジュール３０は、第二タッチセンサ２０がタッチ信号を生成することを検出した場合、所定の有効時間内に第一タッチセンサ１１がタッチ信号を生成するかどうかを判断し、所定の有効時間内に前記第一タッチセンサ１１がタッチ信号を生成する場合、第二操作を動作する。判断モジュール３０は、第一タッチセンサ１１及び第二タッチセンサ２０が生成するタッチ信号を順次動作する時間差が所定の有効時間内にあることを判断する場合、対応する第一操作、第二操作を動作する。このように、ユーザの操作の有効性、正確性を確保することができる。
【００２５】
タッチ操作コンポーネント１は制御ボタン１２をさらに含み、制御ボタン１２は、自身を押すと第三操作を動作するように構成される。制御ボタン１２は第一タッチセンサ１１と第二タッチセンサ２０と共に設けることができ、制御モジュール１０を形成する。図３に示すように、本実施形態にタッチ操作コンポーネントの断面図を提供し、該タッチ操作コンポーネントの第一タッチセンサ１１が直接的に制御ボタン１２上に設けられるが、本発明はこれに限定されるものではなく、具体的な製品形態、特性などの他の考慮することによって、第二タッチセンサ２０が制御ボタン上に設けられる。また、タッチセンサを押すと、ボタンが押せることができる場合、第一タッチセンサ１１または第二タッチセンサ２０も他の素子を介して間接的に制御ボタン１２に設けられ得る。ユーザは第一タッチセンサ１１を押してボタン１２を押させる場合、第三操作を動作する。第三操作は、現在のインタフェースメニューに選択する具体的な操作、電源を起動、シャットダウンする操作などを定義することができる。
【００２６】
好ましくは、制御ボタン１２はボタン型のロータリエンコーダであってもよい。ボタン型のロータリエンコーダは、押された場合、第三操作を動作するように構成される。ボタン型のロータリエンコーダは回転角度を検出するようにさらに構成される。図３に示すように、制御ボタンはＸ軸を回転軸として回転し、具体的に、第四操作が音量調節、ビデオの早送りまたは早戻しなどの操作であってもよく、従って、具体的な製品、内容の制御特性によって、より便利で柔軟な調節方式を提供することができる。ボタン型のロータリエンコーダは成熟の従来技術であるため、それの原理について、詳しい説明がここで省略される。
【００２７】
本発明の好適な実施形態は、タッチ操作コンポーネントが第一タッチセンサを採用し、第二タッチセンサを組み合わせて異なる制御機能の異なる操作を定義することができ、また、ボタン型のロータリエンコーダを組み合わせ、ボタン、ノブの異なる制御方式をさらに提供することができ、異なる製品の制御特徴に応じて異なる制御方式を提供することができ、ユーザの制御体験を最適化させる。
【００２８】
本発明のさらなる実施形態において、判断モジュール３０は、第一タッチセンサ１１はタッチ信号が経路スライドであることを検出した場合、第五操作を動作し、第二タッチセンサ２０はタッチ信号を検出するかどうかを判断し、第二タッチセンサ２０はタッチ信号を検出する場合、第六操作を動作するように構成される。判断モジュール３０は、第二タッチセンサ２０はタッチ信号が経路スライドであることを検出した場合、第五操作を動作し、第一タッチセンサ１１はタッチ信号を検出するかどうかを判断し、第一タッチセンサ２０はタッチ信号を検出する場合、第六操作を動作するようにさらに構成される。例えば、現在に制御インタフェースを呼び出すように、第五操作は、焦点移動であってもよく、第六操作は「確認」操作であってもよい。具体的に、制御ボタンを含むタッチ操作コンポーネントを採用する場合、制御ボタンを介して制御インタフェースを呼び出すことができ、すなわち、第三操作は、現在の表示内容または状態によって、異なる具体的な操作と関連する。表示出力の制御インタフェースによって、ユーザは指で第一タッチセンサ１１において経路スライドＹ→Ｚを実施することができ、図４に示すように、制御インタフェースにおける制御選択肢の焦点移動を動作し、焦点が制御しようとする制御選択肢に移動する場合、指を第二タッチセンサ２０に移動させ、経路スライドＺ→Ｋを行うことを介して、「確認」操作を動作し、該選択肢の次のレベルのメニューに入る。同様に、該次のレベルのメニューは複数の制御選択肢を含む場合、該第二タッチセンサ２０において経路スライドＫ→Ｍを実施することができ、該経路スライドＫ→Ｍによって該メニューにおける制御選択肢の焦点移動を動作し、該焦点が制御しようとする制御選択肢に移動する場合、指を第一タッチセンサ１１に移動させ、経路スライドＭ→Ｎを行うことを介して、「確認」操作を動作し、該選択肢の次のレベルのメニューに入る。該選択肢は次のレベルのメニューがない場合、「確認」操作を動作し、経路スライドＭ→Ｎは該選択肢の操作を実行する。前記の方式において、ユーザは異なるタッチセンサにおいて継続的な動作を介して複数の操作を動作し、この効果に基づく、他の実施形態において、ユーザの指がタッチセンサから離れることを検出することをさらに介して、退出、戻りなどの操作を実行することができる。また、「確認」操作を実行した後、経路スライドを実施しなく、「確認」操作を再びに実行することを介して、戻る操作を動作することができる。例えば、ユーザは第二タッチセンサ２０において経路スライドＫ→Ｍを実施することを介して、焦点を、制御しようとする選択肢に位置させ、指を第一タッチセンサ１１にスライドさせ、経路スライドＭ→Ｎを行い、該選択肢の次のレベルのメニューに入るが、制御しようとする選択肢内容がない場合、指を直接にスライドさせ第二タッチセンサ２０に戻り、経路スライドＮ→Ｔを行うことを介して、前のレベルのメニューに戻ることを動作する。前記の具体的な実施形態は本発明を説明するためのものだけであるが、本発明を制限するものではない。
【００２９】
本発明の前記実施形態によるタッチ操作コンポーネントは第一タッチセンサを採用し、第二タッチセンサを組み合わせて異なる制御機能の異なる操作を定義することができ、また、経路スライドのタッチ方式を組み合わせ、ユーザに継続的なジェスチャ動作を介して複数の操作を動作することを提供することができる。さらに、ボタン型のロータリエンコーダを組み合わせ、ボタン、ノブの異なる制御方式をさらに提供することができ、異なる製品の制御特徴に応じて異なる制御方式を提供することができ、ユーザの制御体験を最適化させる。
【００３０】
また、本発明は、前記のいずれかのタッチ操作コンポーネントを含む電子デバイスを提供する。該電子デバイスは、携帯電話、ＰＡＤ、パソコン、リモコン、イヤホン、頭部装着型表示装置などを含むが、これに限定されるものではない。
【００３１】
図５に示すように、本発明によるタッチ操作方法は、
第一タッチセンサ及び第二タッチセンサはタッチによってタッチ信号を生成するＳ１０１と、
【００３２】
第一タッチセンサがタッチ信号を生成することを検出した場合、第二タッチセンサがタッチ信号を生成するかどうかを判断し、第二タッチセンサがタッチ信号を生成する場合、第一操作を動作するＳ１０２と、
【００３３】
第二タッチセンサがタッチ信号を生成することを検出した場合、第一タッチセンサがタッチ信号を生成するかどうかを判断し、第一タッチセンサがタッチ信号を生成する場合、第二操作を動作するＳ１０３と、を含む
【００３４】
図５のステップＳ１０２、Ｓ１０３の実行する順序は、実施形態の１つであり、本発明を制限するものではないことが理解されるべきである。すなわち、ステップＳ１０２、Ｓ１０３は、順序を逆にしてもよく並列してもよい。これは、当業者が柔軟に変更できる組み合わせる方式である。
【００３５】
好ましくは、第二タッチセンサは複数であり、タッチセンサのそれぞれは、異なる機能に対応する。前記第一操作及び前記第二操作は同一機能の異なる操作に対応する。
【００３６】
好ましくは、該方法は、前記第一タッチセンサまたは前記第二タッチセンサのタッチ信号が後に生成する信号で、かつ連続信号であることを検出し、対応する第一操作または第二操作を継続に実行することをさらに含む。
【００３７】
好ましくは、ステップＳ１０２、Ｓ１０３は、具体的に、順次検出した第一タッチセンサ及び第二タッチセンサのそれぞれが生成したタッチ信号が所定の有効時間の内にあるかどうかを判断し、前記生成したタッチ信号が所定の有効時間内にある場合、第一操作を動作することと、順次検出した第二タッチセンサ及び第一タッチセンサのそれぞれが生成したタッチ信号が所定の有効時間内にあるかどうかを判断し、前記生成したタッチ信号が所定の有効時間内にある場合、第二操作を動作することとを含む。該方法は、第一タッチセンサ又は第二タッチセンサが直接的または間接的に制御ボタン上に設けられ、制御ボタンを押すと、第三操作を動作することをさらに含んでもよい。
【００３８】
好ましくは、制御ボタンは、ボタン型のロータリエンコーダである場合、第三操作のように構成され、回転角度を検出して第四操作を動作するようにさらに構成される。
【００３９】
本発明の更なる実施形態によるタッチ操作方法は、
第一タッチセンサ及び第二タッチセンサはタッチによってタッチ信号を生成するスッテプ２０１と、
【００４０】
第一タッチセンサは経路スライドのタッチ信号を生成することを検出した場合、第五操作を動作し、第二タッチセンサがタッチ信号を生成するかどうかを判断し、第二タッチセンサがタッチ信号を生成する場合、第六操作を動作するステップＳ２０２と、
【００４１】
第二タッチセンサは経路スライドのタッチ信号を生成することを検出した場合、第五操作を動作し、第一タッチセンサがタッチ信号を生成するかどうかを判断し、第一タッチセンサがタッチ信号を生成する場合、第六操作を動作するステップＳ２０３と、を含む。
【００４２】
該方法の具体的な原理は前記タッチ操作コンポーネントの原理を参照することができ、詳しい説明がここで省略される。
【００４３】
以上は、本発明の好適な実施方式に過ぎなく、本発明を制限するためのものではない。本発明の精神及び要旨を逸脱しない場合行われる変更、均等置換及び改良などは、いずれも本発明の範囲に属するものである。
【図１】
0006470416.tif 000002
【図２】
0006470416.tif 000003
【図３】
0006470416.tif 000004
【図４】
0006470416.tif 000005
【図５】
0006470416.tif 000006
【図６】
0006470416.tif 000007